(57)【特許請求の範囲】
【請求項１】
スクイブ（１）との電気接続のために前記スクイブ（１）のキャビティ（３）内に受容されるようになっている嵌合部（２６）を有するハウジング（１６，１６'，１６"）を有するスクイブコネクタであって、前記ハウジング上に実装されたロック要素（３２，３２'，３２"）を更に具備し、該ロック要素は、前記スクイブ内に前記コネクタを固定するために、前記スクイブの相手ロック肩（１０）と係合可能なロック部（３１）を具備し、前記ロック要素（３２，３２'，３２"）は、前記ハウジングとは別体で、且つ移動可能に該ハウジングに実装されると共に、前記コネクタが前記スクイブに嵌合する際に、前記ロック要素がロック解除位置からロック完了位置に移動すると、前記ロック部（３１）が前記スクイブの前記相手ロック肩（１０）と係合するように前記ハウジング（１６，１６'，１６"）のロックカム面（４３）とカム係合するロックカム部（３３）を具備することを特徴とするスクイブコネクタ（２，２'，２"）。
【請求項２】
前記ロック要素は、前記コネクタの嵌合及び嵌合解除方向に平行な方向（Ｐ）に沿って摺動可能に実装されていることを特徴とする請求項１記載のコネクタ。
【請求項３】
前記ロック部（３１）は、片持ち梁状のロックアーム（２８）上に設けられていることを特徴とする請求項２記載のコネクタ。
【請求項４】
前記ロックアーム（２８）は、前記ハウジングの嵌合面（２２）から離れた取付け端（２９）で前記ロック要素に取り付けられ、前記嵌合面（２２）近傍の前記ロック部（３１）まで延びていることを特徴とする請求項３記載のコネクタ。
【請求項５】
前記ロックアーム（２８）は、前記スクイブの前記相手ロック肩（１０）と若干係合することができるか又は係合しない自由直立即ち自然位置に設けられ、これにより、前記ロック要素が前記ロック解除位置から前記ロック完了位置まで移動する際に、前記ハウジングのカム部（４２）が、前記ロックアームを外側に偏倚して前記相手ロック肩（１０）と係合させることを特徴とする請求項３又は請求項４記載のコネクタ。
【請求項６】
前記ハウジング（１６）は、前記ロック要素が前記ロック解除完了位置に移動すると前記ロック要素の前記ロックアーム（２８）と係合する戻りカム部（４４）を具備し、前記ロックアームと前記戻りカム部との係合が、前記ロック部（３１）を、前記スクイブの前記相手ロック肩（１０）から離れた内方に偏倚されたロック解除位置に偏倚することを保証することを特徴とする請求項１ないし請求項５のうちいずれか１項記載のコネクタ。
【請求項７】
前記戻りカム部（４４）は、前記ハウジング（１６）に一体的に取り付けられた梁（４５）を具備し、前記梁（４５）及び前記ハウジング（１６）間に前記ロックアーム（２８）を挿入するために、前記梁が前記戻りカム部と離隔していることを特徴とする請求項６記載のコネクタ。
【請求項８】
前記ハウジングの前記カム部（４２）は、前記ハウジング（１６）から外側に延びる突起の形態をなすと共に、前記ロック部（３１）を外側に広げるために前記カム部に抗して前記ロックカム部（３３）と係合するテーパ状の前記ロックカム面（４３）を具備することを特徴とする請求項１ないし請求項７のうちいずれか１項記載のコネクタ。
【請求項９】
前記ロック要素の前記ロック部（３１）は、前記スクイブの前記相手ロック肩（１０）と係合可能なテーパ状ロック肩（３０）を具備し、これにより、前記ハウジング（１６）又は該ハウジングに取り付けられたケーブル（１５）に作用する抜去力が、前記コネクタ及び前記スクイブの嵌合方向（Ｐ）となす角度が鋭角である圧縮方向（Ｃ）に沿って、前記ロック部（３１）を圧縮することを特徴とする請求項１ないし請求項８のうちいずれか１項記載のコネクタ。
【請求項１０】
前記ロック要素（３２'，３２"）は、ロック解除の際に、前記ハウジング（１６'，１６"）の相手カム部（８０，８０'）と係合可能なカム部（７８，９１）を有する弾性ラッチ（３６'，３６"）を具備し、前記カム面が、前記スクイブ（１）に向う嵌合方向に沿って前記ハウジング上に力の成分を発生するようになっていることを特徴とする請求項１ないし請求項９のうちいずれか１項記載のコネクタ。
【発明の詳細な説明】
【０００１】
【技術分野】
本発明は、「スクイブ(squib)」と呼ばれることが多いガス発生器に接続するためのコネクタに関する。
【０００２】
【背景技術】
エアバッグ、シートベルトプリテンショナー等の自動車用途では、スクイブと呼ばれることが多い装置等の起爆装置が設けられている。スクイブの代表例は、一般にスクイブコネクタと呼ばれる相手コネクタを受容し嵌合するキャビティ内に突出する１対のコンタクトを具備する。スクイブコネクタ組立体の代表例は、非嵌合状態のスクイブのピンコンタクトを短絡する短絡回路要素を具備する。嵌合の際、短絡コンタクトは、スクイブコネクタにより短絡回路を分断するよう偏倚される。短絡回路コンタクトは、スクイブハウジングに固定されたハウジング内に設けられることが多い。
【０００３】
従来のスクイブコネクタは、スクイブハウジングの肩と係合する弾性ラッチを有する。これらラッチは、一端でコネクタハウジングに結合され自由端に延びる片持ち梁形状を有する。米国特許第５，２７５，５７５号及び欧州特許第７３６９３４号に開示された設計形状において、スクイブコネクタのラッチ（ロック）は、スクイブハウジングの肩に自動的にラッチする弾性片持ち梁の形態をなす。ここで、不注意なコネクタの嵌合解除を防止するために、別の安全ペグがラッチ及びコネクタハウジング間に挿入される。コネクタは、安全挿入要素を取り外しコネクタの上方に引広げることにより嵌合解除され、これにより弾性ラッチアーム上の円錐形又はテーパ状のラッチ面が、嵌合解除するためにラッチの内方への偏倚を補助する。ラッチがある程度の抵抗を有すると、抜去の際に、特に数少ない嵌合及び嵌合解除のサイクルの後、ラッチ又はコネクタに損傷を与え得る比較的大きな力を必要とする。嵌合の際の挿入力を低減する観点では、米国特許第５，２７５，５７５号に開示されているように、安全要素を伴って嵌合する際にラッチ部材を積極的に外側に偏倚することが公知である。しかし、ラッチの弾性がコネクタの耐用期間にわたって低減し、この結果、嵌合解除の際にラッチが停止位置へ十分に内方に偏倚しない場合、嵌合解除の信頼性がなくなるおそれがある。上述の全設計形状が有する一つの問題は、ロックアーム又はラッチアームとコネクタハウジングとの間に安全要素を挿入する必要性により、ハウジング及びラッチの使用可能空間が減少することである。このため、ラッチは比較的薄くなるか、又は端子を受容するハウジング部分をより小型にする必要がある。堅牢さを改善し、コネクタハウジング用の空間をより大きくすることが望ましい。スクイブは、代表的には約８〜１０mmの直径のオーダーで規格化された寸法のキャビティを有することに留意されたい。
【０００４】
弾性ラッチのもう一つの問題は、安全ペグが一旦取り除かれると、嵌合解除の際に抵抗があることである。コネクタが新しい場合、この抵抗はかなり大きいが、熱及び振動を受けるハウジングプラスチック材料の摩耗及び弾性低下により、使用後は抵抗が低下する。大きな抵抗及び嵌合／嵌合解除時の特性変化を回避することが望ましい。
【０００５】
多くのスクイブコネクタにおいて、例えば米国特許第５，６０９，４９８号に示されるように、嵌合の際に弾性的にラッチするが、嵌合解除用の特殊工具を要するラッチアームを具備することも一般的である。しかし、保守点検のコストを増大させるので、特殊工具の使用は望ましくないことが多い。
【０００６】
【発明の開示】
本発明は、迅速且つ容易にスクイブと嵌合及び嵌合解除できるが、にもかかわらず、特に安全で、信頼性が高く、堅牢なスクイブコネクタを提供することを目的とする。特に、接続の信頼性は、嵌合及び嵌合解除の回数や、熱及び振動等の環境条件に影響を受けることなく、コネクタの耐用期間にわたって維持されるべきである。
【０００７】
本発明の目的は、特許請求の範囲によるスクイブコネクタを提供することにより達成される。本明細書に開示されているのは、スクイブとの電気接続のためにスクイブのキャビティ内に受容されるようになっている嵌合部を有するスクイブコネクタである。スクイブコネクタの嵌合部は、ハウジングと、ハウジングに実装されたロック要素とを具備する。ロック要素は、スクイブ内にコネクタを固定するために、スクイブの相補（相手）ロック肩に対して係合可能なロック部を具備する。ロック要素は、移動可能にハウジングに実装されると共に、ハウジングの相手カム部に対してカム係合するようになっているロックカム部を具備する。これにより、コネクタがスクイブに嵌合する際に、ロック要素がロック解除位置からロック位置に移動すると、ロック部をスクイブの相手ロック肩に係合するように偏倚する。よって、ラッチ（ロック）の弾性に依存することなく、しっかりとしたロック完了位置を確保しながら、迅速且つ容易にロックすることができる利点がある。従って、高温、振動又はハウジング材料の強度及び弾性に影響を与えるであろう他の要因は、スクイブコネクタの嵌合及び嵌合解除の信頼性及び容易さに影響を与えない。更に、安全要素の挿入を回避することにより、堅牢な構造が得られる。
【０００８】
ロック部は、コネクタ嵌合部の嵌合端から離れた一端でロック要素に取り付けられると共にコネクタ嵌合面を向いた自由端に延びる片持ち梁上に設けられてもよい。自然即ち自由直立位置において、ロック部は、略係合解除完了位置に設けれられてもよいし、ラッチ（ロック）は、嵌合の際にスクイブの相手ロック肩と係合するよう十分に外側に偏倚される。後者は、比較的低挿入力及び低抜去力を可能にする。ロック要素は、嵌合部の外表面に抗して嵌合方向に摺動可能に設けられてもよい。ハウジングのカム部は、ロックアームの自由端近傍に設けられたロックカム部と係合するために、嵌合面近傍で外側に突出したテーパ面を具備してもよい。ロック部は、ロック部を偏倚してロック位置から外すために、非嵌合の際にスクイブと係合する第２嵌合解除カム面を具備してもよい。この嵌合解除カム面は、テーパ状に形成されてもよいし、スクイブの相手ロック肩と係合するロック部のロック面の一部を形成してもよい。こうして、特に簡単で堅牢なラッチが得られる。ハウジングは、ロック解除位置でロックアーム又はロック部と係合して嵌合の前にロックアームが原位置に完全に戻ることを保証する戻りカム部を更に具備してもよい。戻りカム部は、また、損傷からのロックアームの保護を補助する。ロック要素は、ハウジングに対して嵌合完了位置にロック要素を固定する弾性ラッチを更に具備する。これにより、弾性ラッチは、嵌合解除の際に挿入方向にハウジングを押圧するカム部を有する。この押圧により、コネクタ及びスクイブの嵌合解除の際に、ロック要素が非嵌合状態に戻ることを保証する。
【０００９】
【発明を実施するための形態】
本発明の別の利点は、特許請求に範囲に記載されるか、又は以下の発明の詳細な説明及び図面から明白である。本発明の実施形態は、添付図面を参照して説明される。
【００１０】
主に図１ないし図８を参照すると、スクイブコネクタ２は、コネクタ受容面４からガス発生器（スクイブ）１内に延びるキャビティ３を有するスクイブ１の接続部に挿入された状態で示される。スクイブ１は、キャビティ３内に延びる１対の接触ピン６を更に具備する。キャビティ３側面の円環状のロック凹部８は、スクイブコネクタをロックするためのロック肩１０を形成する。この組立体は、絶縁ハウジングと、スクイブコネクタ２がスクイブ１と嵌合解除する際に１対の接触ピン６を短絡するためにハウジングに実装された短絡端子（図示せず）とを具備する短絡組立体１２を更に有する。
【００１１】
スクイブコネクタ２は、接触ピン６と嵌合する端子２４を受容するために導体受容端２０から嵌合端２２まで延びる端子受容キャビティ１８を有する絶縁ハウジング１６を具備する。ハウジング１６は、スクイブのキャビティ３内に挿入可能な嵌合部２６を有する。
【００１２】
コネクタ２は、ハウジング１６の外面３４の抗して摺動可能に実装されるロック要素３２を更に有する。このロック要素は、コネクタの嵌合及び嵌合解除（Ｐ）方向に摺動可能である。ロック要素は、図６、図１１及び図１７に示されるように、ロック完了位置にロック要素を固定するためにハウジングの相手ラッチ部材３８と結合可能な弾性ラッチ３６を具備する。ロック要素のラッチ部材３６，３８が相補的な凹部３８及びノッチ３６を有するので、突起及び凹部の係合のために外側に十分に偏倚することができるロック要素側壁３９により弾性が提供される。ロック要素は、取付け端２９でロック要素に取り付けられ且つ嵌合面２２を向く自由端まで延びる片持ち梁状のロックアーム２８を更に具備する。このロックアーム２８は、スクイブの相手ロック肩１０と係合するためにテーパ状ロック肩３０が設けられたロック部３１を具備する。また、テーパ状ロック肩３０は、ロック要素が摺動して嵌合解除する際に、ロックアーム２８の内方への偏倚を補助する嵌合解除カム面として作用する。ロックアーム２８は、ハウジング１６と一体のテーパ状の相手のロックカム面４３と係合するために、ロックアーム２８の自由端でテーパ状カム面の形状をなすロックカム部３３を更に具備する。ハウジングのロック部４２は、ハウジングから外側に突出し、嵌合面２２近傍で嵌合部２６内に配置される。ロック部４２は、ロック要素が嵌合方向（Ｐ）に沿ってロック完了位置へ摺動すると、ロックアーム２８と係合しロックアーム２８を外側に偏倚する。ロックアーム２８が外側に偏倚されることにより、図３に示されるように、ロック肩３０が対応するスクイブの相手ロック肩１０と係合する。
【００１３】
図３及び図４に示されるロックアームの自然即ち自由直立位置では、テーパ状ロック肩３０、スクイブのキャビティ３及び相手ロック肩１０間の係合は殆どないか又は全くないので、低挿入力及び低抜去力が得られる。図７に示される初期挿入の際、ロック肩１０，３０の若干の係合が生じ、スクイブ内へのコネクタの挿入を容易にしてもよい。初期の若干の係合は、コネクタが十分に挿入され、ロック要素が押圧され得ることを示す感触を作業者に与える。
【００１４】
ロック要素は、ハウジング１６に一体的に成形されハウジング１６から離隔した（図５及び図８参照）梁４５により形成された戻りカム部４４を更に具備する。これにより、ロックアームはハウジング外面３４及び梁４５間に配置される。戻りカム部４４は、嵌合解除の際、特に図３に示されるロック要素３２がロック完了位置からロック解除位置に（方向Ｐに沿って）摺動可能に上げられると、ロックアーム２８と内側へカム係合する。ロックアーム２８が自然位置にあってスクイブの相手ロック肩１０との係合が外れる場合、戻りカム部４４はロックアームとの内側へのカム係合しなくてもよい。コネクタ材料が弾性を失うか、ロック肩と若干係合するようにラッチの自由直立位置が設定されているか、あるいはロックアームが（コネクタに対する過度の抜去力により損傷する等の）外側に塑性変形した場合、戻りカム部４４はロックアーム２８を内側へ偏倚し、コネクタが容易に再挿入することを保証する。こうして、コネクタの耐用期間にわたって低挿入力且つ低抜去力での信頼性の高い嵌合及び嵌合解除が達成される。
【００１５】
本発明の重要な利点は、張力がコネクタ本体１６又はケーブル１５に及ぼされると、自己ロック効果が生ずることである。抜去力がコネクタケーブルに及ぼされると、テーパ状のロックカム面４３は、１対の対向するロックアーム２８を互いに離隔する方向に広げてスクイブの相手ロック肩１０とよりきつく均等に係合させる傾向がある。こうして、特に堅牢で信頼性の高いロックが得られる。更に、コネクタがロックアーム２８の特定の弾性特性に依存しなければ、別の安全要素を省略することにより、最大の保持力のために比較的厚い厚さを有するようロックアームを設計することができる。更にまた、ロック要素のロック突起（ロック部）３１には、従来の設計におけるロック突起の剪断よりむしろ材料の圧縮が主に作用するので、コネクタの保持力が更に増大する。このことは、図５を参照することによりよく理解される。図５において、係合力は、テーパ状ロック肩３０からロックカム部３３までロック部を横断するＣ線に沿って、剪断よりむしろ圧縮する。相手ロック肩１０が斜めの角度に設けられていないある種のスクイブでは、後者の効果は顕著ではない。
【００１６】
図１、図２、図１１及び図１３を参照すると、ロック要素は、１対の探針（プローブ）の形態をなす短絡駆動部材４６を更に具備する。短絡駆動部材４６は短絡端子のばねアーム（図示せず）及びスクイブ接触ピン６の間に挿入されるので、短絡端子は、ピン６との接触が外れるよう偏倚される。こうして、短絡回路は、ロック要素がロック完了位置に移動すると、不活性化されるだけである。
【００１７】
図７、図９、図２４ないし図２８によく示されるように、コネクタは、薄い柔軟性のあるヒンジ５４でヒンジ結合された１対のクランプ部５２を有するストレインリリーフ部材５０を更に具備する。ストレインリリーフ部材は、ケーブル１５の外側絶縁体をつかみ且つ食い込むための円弧状（半円状）リブが形成されたクランプ面５６を具備する。図７に、１個のリブが参照番号５８で示される。ストレインリリーフ部材５０は、コネクタの電線受容端２０で受容され、ハウジングの対応するテーパ状円錐形凹部６２内に受容されるテーパ状即ち円錐形カム部６０を具備する。ストレインリリーフ部材５０は、ハウジング１６と一体に形成された突起６６の形態の対向する相手ラッチ要素と係合する１対のラッチアーム６４を更に具備する。こうして、コネクタの組立が、最初にケーブル１５の電線に端子２４を接続し、端子を挿入完了し、（端子ロックランス２５がハウジングの相手ロック肩２３と係合すると）端子受容キャビティ１８内に収容する。次に、ストレインリリーフ部材がハウジングの電線受容端でケーブルの周囲に実装されることにより、クランプ部５２は、ケーブルの周囲で共に回転し、続いてコネクタ電線受容面２０の方に押圧される。この結果、テーパ状駆動部６０がハウジングの対応するカム凹部６２内で係合するので、両クランプ半体５２が重なるよう力を及ぼし、リブ５８がケーブル１５の外側絶縁体に食い込む。ストレインリリーフ部材５０は、ラッチ部材６４，６６が係合するまで押圧される。こうして、コネクタに容易に組み込むことができる、簡単で効果的なストレインリリーフ部材が得られる。
【００１８】
本発明の若干異なる実施形態が図２９ないし図３４に示される。本実施形態の多くの特徴が上述した実施形態に類似するので、類似又は同一の特徴には同一の参照番号を付与し、異なる又は追加の特徴を説明する。図２９ないし図３４を参照すると、スクイブコネクタ２'は、スクイブコネクタのハウジング１６'で嵌合方向（Ｐ）に沿って摺動可能なロック要素３２'を具備する。ロック要素３２'は、図１ないし図２８の実施形態と同様に、ガス発生器１及びハウジングロック部２６と協働するロックアーム２８を有する。ハウジング１６'は、端部７３，７４でハウジングに取り付けられる弾性梁７２上に設けられた突起７１を有する弾性嵌合補助ラッチ７０を更に具備する。ラッチ突起７１は、嵌合及び嵌合解除の際に、ガス発生器に対するスクイブコネクタの部分的な保持を提供するために、ガス発生器の環状凹部８内で係合する。嵌合補助ラッチ７０は、図２９に示されるように、嵌合解除の際に、摺動可能なロック要素３２'の仮組立（pre-assembly）位置までの後退を容易にするか、又は嵌合の際に、ラッチ７０の可視クリック感及び触感が嵌合操作を容易にする。
【００１９】
図３３に最もよく示されるように、各嵌合補助ラッチ７０は１対の梁７２を具備し、各梁は、ハウジングロック部４２の各側に配置される。嵌合補助ラッチ７０は、互いに逆向きのロック突起４２近傍のハウジング１６'の互いに逆向き側面上に設けられる。
【００２０】
ロック要素３２'は、そのヒンジ９０の位置で弾性的に回転可能に設けられ且つハウジング１６'から延びるラッチ肩３８'と係合するロック肩３７'を有する弾性ラッチ３６'（図３０及び図３４参照）を具備する。ロック肩３７'から離れた端には、図３２に示されるように、ロック肩３７'を外側に偏倚する、内方に偏倚可能な指把持部７６がある。ロック要素３２'は、指把持部７６近傍で、ガス発生器１の方に嵌合方向（Ｐ）に沿ったハウジング上の力の成分を発生するハウジングの相手カム肩８０を具備する。これにより、ラッチアームロック肩３７'がラッチ突起３８'からラッチ解除する間、ハウジング１６'はガス発生器の方に偏倚され、完全なラッチ解除を可能にし、図２９に示されるように嵌合解除位置へのロック要素３２'の摺動が保証される。嵌合補助ラッチ７０によってガス発生器にハウジングを部分的に保持することは、ロック要素３２'の完全復帰が保証されるよう補助する。こうして、単一動作での簡単な嵌合及び嵌合解除が得られる。にもかかわらず、スクイブコネクタケーブル１５上の抜去力は、スクイブコネクタを破壊することなく嵌合解除することはできない。特に、ケーブル１５の抜去力は、ロックアーム２８を外側に広げることにより、ガス発生器内のハウジングのロックを更にきつくする傾向がある。
【００２１】
図３５ないし図３８を参照すると、スクイブコネクタ２"の別の実施形態が示される。ここで、嵌合部２６'は、導体受容部２０'に略直交して延びる（即ち、本実施形態では、コネクタに接続された導体は、コネクタの嵌合方向（Ｐ）に対して９０°で延びる）。しかし、嵌合部２６'は、上述の実施形態の嵌合部２６と同様の構造を有してもよい。本実施形態と上述の実施形態との主な相違は、ロック要素３２"の設計形状にある。
【００２２】
ロック要素３２"は、上述の実施形態と同様に嵌合部のカム部４２と係合するロックアームを具備する。しかし、主な相違は、弾性ラッチ３６"のロック肩３７"近傍の薄いヒンジ９０'を介してロック要素３７"に弾性的に一体的に取り付けられた弾性ラッチ３６"の設計形状にある。弾性ラッチは、ロック肩３７"から離れた上端に指把持部７６'を、スクイブコネクタのハウジング１６"の側壁９２と係合するためのラッチの内面に回転カム突起９１を具備する。側壁９２は、図３８に示される嵌合完了位置及び図３６に示される嵌合解除完了位置の中間で摺動ロックに対して配置されるテーパ状カム面８０'を有する。この結果、嵌合解除の際に、ロック要素の回転カム突起９１は、テーパ状カム面８０'に沿って乗り上げるので、コネクタの嵌合部２６'をスクイブの方に偏倚する。後者は、図３１ないし図３４の実施形態のように、嵌合解除の間に、ロック要素が嵌合解除完了位置まで後退することを保証する。図３８に示される嵌合完了位置では、回転突起９１は、弾性ラッチ３６"を外側に偏倚された状態に維持する外側平坦カム面９４上に乗り上げる。これにより、嵌合部２６'をスクイブの方に偏倚しながら複数のラッチを一緒に絞ることにより、迅速且つ容易な嵌合解除が可能になる。また、弾性ラッチ３６"のばね力は、ヒンジ９０"からロック要素３２"の上壁９６まで延びるばね梁９５によって提供される。こうして、小型でありながら柔軟性のあり、好適には低背である図３４ないし図３８の９０°実施形態のために特に利点があるロック要素が提供される。
【図面の簡単な説明】
【図１】ロック要素がロック解除位置にある、本発明のスクイブコネクタの斜視図である。
【図２】ロック要素がロック位置にある、図１と同様の斜視図である。
【図３】スクイブに挿入されるスクイブコネクタの挿入初期状態を示す断面図である。
【図４】スクイブに挿入されるスクイブコネクタのロック要素の係合状態を示す断面図である。
【図５】スクイブに挿入されるスクイブコネクタのロック完了状態の断面図である。
【図６】スクイブコネクタの側面図である。
【図７】図６の７−７線に沿った断面図である。
【図８】図６の８矢視図である。
【図９】図６の９矢視図である。
【図１０】図６の１０矢視図である。
【図１１】スクイブコネクタのロック要素の斜視図である。
【図１２】ロック要素の側面図である。
【図１３】図１２の１３−１３線に沿った断面図である。
【図１４】図１２の１４矢視図である。
【図１５】図１４の１５矢視図である。
【図１６】スクイブコネクタのハウジングの側面図である。
【図１７】図１６の１７矢視図である。
【図１８】図１６の１８−１８線に沿った断面図である。
【図１９】図１７の１９−１９線に沿った断面図である。
【図２０】図１６の２０矢視図である。
【図２１】図１６の２１矢視図である。
【図２２】ハウジングの斜視図である。
【図２３】スクイブコネクタのストレインリリーフ部材の側面図である。
【図２４】図２３の２４矢視図である。
【図２５】図２３の２５−２５線に沿った断面図である。
【図２６】図２３の２６矢視図である。
【図２７】図２３の２７矢視図である。
【図２８】ストレインリリーフ部材の斜視図である。
【図２９】本発明の別の実施形態のスクイブコネクタを示し、ガス発生器に挿入された状態の断面図である。
【図３０】図２９の３０−３０線に沿った断面図である。
【図３１】コネクタの嵌合完了を示す、図３０に類似する単純化された断面図である。
【図３２】ガス発生器からスクイブコネクタの初期ラッチ解除状態を示す、図３１と同様の図である。
【図３３】図２９の実施形態のハウジングの斜視図である。
【図３４】図２９の実施形態のロック要素の斜視図である。
【図３５】別の実施形態の嵌合解除状態の斜視図である。
【図３６】図３５の実施形態の単純化された断面図である。
【図３７】嵌合完了状態のロック要素を示す、図３５と同様の図である。
【図３８】図３７の実施形態の単純化された断面図である。
【符号の説明】
１    スクイブ
２，２'，２"  スクイブコネクタ
３    キャビティ
１０  相手ロック肩
１６，１６'，１６"  ハウジング
２２  嵌合面
２６  嵌合部
２８  ロックアーム
２９  取付け端
３０  テーパ状ロック肩
３１  ロック部
３２，３２'，３２"  ロック要素
３３  ロックカム部
３６'，３６"  弾性ラッチ
４２  ハウジングカム部
４３  テーパ状のロックカム面
４４  戻りカム部
４５  梁
７８，９１  カム部
８０，８０'  カム部
【図１】
0003856645.tif 000002
【図２】
0003856645.tif 000003
【図３】
0003856645.tif 000004
【図４】
0003856645.tif 000005
【図５】
0003856645.tif 000006
【図６】
0003856645.tif 000007
【図７】
0003856645.tif 000008
【図８】
0003856645.tif 000009
【図９】
0003856645.tif 000010
【図１０】
0003856645.tif 000011
【図１１】
0003856645.tif 000012
【図１２】
0003856645.tif 000013
【図１３】
0003856645.tif 000014
【図１４】
0003856645.tif 000015
【図１５】
0003856645.tif 000016
【図１６】
0003856645.tif 000017
【図１７】
0003856645.tif 000018
【図１８】
0003856645.tif 000019
【図１９】
0003856645.tif 000020
【図２０】
0003856645.tif 000021
【図２１】
0003856645.tif 000022
【図２２】
0003856645.tif 000023
【図２３】
0003856645.tif 000024
【図２４】
0003856645.tif 000025
【図２５】
0003856645.tif 000026
【図２６】
0003856645.tif 000027
【図２７】
0003856645.tif 000028
【図２８】
0003856645.tif 000029
【図２９】
0003856645.tif 000030
【図３０】
0003856645.tif 000031
【図３１】
0003856645.tif 000032
【図３２】
0003856645.tif 000033
【図３３】
0003856645.tif 000034
【図３４】
0003856645.tif 000035
【図３５】
0003856645.tif 000036
【図３６】
0003856645.tif 000037
【図３７】
0003856645.tif 000038
【図３８】
0003856645.tif 000039